(57)【要約】【課題】簡単な構成で、消費者に対するアピール度を向上させることができる電池パッケージを提供する。【解決手段】電池パッケージ２は、正極端子が突出する一端、負極端子としての他端及び周面に商品名や模様等からなるデザイン９４を有した円筒形の電池４を収容する略直方体状のパッケージ本体６を備えており、パッケージ本体６は、前壁１０と、前壁１０に対向配置され上部にフックと係合する吊り下げ孔２６を有する後壁１２と、前壁１０及び後壁１２のそれぞれ対応する側縁を相互に連結する一対の側壁１４と、前壁１０、後壁１２及び側壁１４の下端縁に連結された底壁１６と、底壁１６と対向配置された上壁１８とを含み、前壁１０は、その前面部に設けられた窓２０と、その両端部を後壁１２側へ折曲させて形成された一対の折曲壁２８とを有しており、折曲壁２８は、電池４の対応する側の端の周縁に対して斜めに当接する。【選択図】図１
2012206769.tif 000002
【特許請求の範囲】
【請求項１】
正極端子が突出する一端、負極端子としての他端及び周面に商品名や模様等からなるデザインを有した円筒形の電池を収容し、外部から前記電池を視認可能な電池パッケージにおいて、
前記電池を収容する略直方体状のパッケージ本体を備えており、
前記パッケージ本体は、
前壁と、
前記前壁に対向配置された後壁と、
前記前壁及び前記後壁のそれぞれ対応する側縁を相互に連結する一対の側壁と、
前記前壁、前記後壁及び前記側壁の下端縁に連結された底壁と、
前記底壁と対向配置された上壁とを含み、
前記前壁は、前記電池の前記両端における周縁の一部と当接し、前記電池の長手方向両側から前記電池を挟み付ける当接部を有している
ことを特徴とする電池パッケージ。
【請求項２】
前記当接部は、
前記前壁の両端部を前記後壁側へ折曲させ、前記電池の対応する側の端の周縁に対して斜めに当接する一対の折曲壁であることを特徴とする請求項１に記載の電池パッケージ。
【請求項３】
前記電池の端に対する前記折曲壁の当接箇所と前記後壁との間の寸法は、前記電池の直径よりも短く、前記一対の折曲壁における前記当接箇所同士間の寸法は、前記電池の両端間の寸法よりも短いことを特徴とする請求項２に記載の電池パッケージ。
【請求項４】
前記長手方向に沿う前記後壁の幅をＢ、前記各側壁の幅をＳ，Ｓ’、前記前壁のうち前記折曲壁を除いた部分の前記長手方向に沿う幅をＦ、前記各折曲壁の幅をＫ，Ｋ’としたとき、Ｂ＋Ｓ＝Ｋ＋Ｆ＋Ｋ’＋Ｓ’（但し、Ｓ＝Ｓ’、Ｋ＝Ｋ’）の関係を満たしていることを特徴とする請求項３に記載の電池パッケージ。
【請求項５】
前記後壁は、商品吊り下げ手段と係合する吊り下げ部を含んでいることを特徴とする請求項１〜４の何れかに記載の電池パッケージ。
【請求項６】
前記パッケージ本体は、紙材で形成されており、前記前壁に窓が形成されていることを特徴とする請求項１〜５の何れかに記載の電池パッケージ。
【請求項７】
前記パッケージ本体は、透明な樹脂材料で形成されていることを特徴とする請求項１〜５の何れかに記載の電池パッケージ。
【発明の詳細な説明】
【技術分野】
【０００１】
本発明は、円筒形の電池を収容する電池パッケージに関する。
【背景技術】
【０００２】
円筒形の電池は、通常、電池パッケージに収容された状態で店頭に陳列され販売されている。
このような電池パッケージにおいては、収容されている電池の種類を確認できるようにパッケージ内が外部から視認可能なものがある。このように、パッケージの中身を確認できる電池パッケージの１つの態様としては、例えば、特許文献１に示される電池パッケージが知られている。特許文献１の電池パッケージは、複数本の電池を並列に積み重ねて収容する略直方体形状の箱部を備えており、この箱部の前面に内容物を確認するための窓孔が設けられている。
【先行技術文献】
【特許文献】
【０００３】
【特許文献１】特開２００９−２５２３７７号公報
【発明の概要】
【発明が解決しようとする課題】
【０００４】
ところで、円筒形の電池には、通常、その周面に商品名や模様等からなる特定のデザインが施されている。このようにデザインが施された電池を外部から内容物を視認可能なパッケージに収容した場合、電池の向きにより周面のデザインの見え方が異なる。特に複数の電池を収容可能なパッケージの場合、各電池がばらばらな向きで収容されていると、デザインの向きが不揃いとなり美観が損なわれる。このように美観が損なわれた状態では、消費者の購買意欲を促進させるアピール度に欠けてしまう。
【０００５】
そこで、このようなパッケージに電池を収容する場合、各電池の向きを揃えて外部からの見映えを良くし、消費者に対するアピール度を向上させることが考えられる。
しかしながら、電池を出荷する前にその向きを揃えて電池パッケージ内に収容しても、この電池パッケージを輸送している途中で振動等により内部の電池がその中心軸を中心として回転してしまうことがある。そうすると結局デザインの向きはばらばらになり美観を損ねてしまう。
【０００６】
そこで、パッケージの内部に電池の回転を抑制することができるような形状のパーツを組み込むことが考えられるが、そうすると電池パッケージの構造が複雑化するとともに組立作業も煩雑化し、製造コストが嵩む。また、パッケージを構成する材料の量も増えるので、材料費の増加を招くとともに、パッケージが役目を終えたときの廃棄物の量が増加し、環境負荷が増大する。
【０００７】
本発明は、上記の事情に基づいてなされたものであり、その目的とするところは、簡単な構成で、消費者に対するアピール度を向上させることができる電池パッケージを提供することにある。
【課題を解決するための手段】
【０００８】
上記目的を達成するために、本発明によれば、正極端子が突出する一端、負極端子としての他端及び周面に商品名や模様等からなるデザインを有した円筒形の電池を収容し、外部から前記電池を視認可能な電池パッケージにおいて、前記電池を収容する略直方体状のパッケージ本体を備えており、前記パッケージ本体は、前壁と、前記前壁に対向配置された後壁と、前記前壁及び前記後壁のそれぞれ対応する側縁を相互に連結する一対の側壁と、前記前壁、前記後壁及び前記側壁の下端縁に連結された底壁と、前記底壁と対向配置された上壁とを含み、前記前壁は、前記電池の前記両端における周縁の一部と当接し、前記電池の長手方向両側から前記電池を挟み付ける当接部を有していることを特徴とする電池パッケージが提供される（請求項１）。
【０００９】
具体的には、前記当接部は、前記前壁の両端部を前記後壁側へ折曲させ、前記電池の対応する側の端の周縁に対して斜めに当接する一対の折曲壁である（請求項２）。
【００１０】
好ましくは、前記電池の端に対する前記折曲壁の当接箇所と前記後壁との間の寸法は、前記電池の直径よりも短く、前記一対の折曲壁における前記当接箇所同士間の寸法は、前記電池の両端間の寸法よりも短い態様とする（請求項３）。
【００１１】
また、前記長手方向に沿う前記後壁の幅をＢ、前記各側壁の幅をＳ，Ｓ’、前記前壁のうち前記折曲壁を除いた部分の前記長手方向に沿う幅をＦ、前記各折曲壁の幅をＫ，Ｋ’としたとき、Ｂ＋Ｓ＝Ｋ＋Ｆ＋Ｋ’＋Ｓ’（但し、Ｓ＝Ｓ’、Ｋ＝Ｋ’）の関係を満たしている態様とすることが好ましい（請求項４）。
【００１２】
また、前記後壁は、商品吊り下げ手段と係合する吊り下げ部を含んでいる態様とすることが好ましい（請求項５）。
【００１３】
更に、前記パッケージ本体は、紙材で形成されており、前記前壁に窓が形成されている態様とすることが好ましい（請求項６）。
【００１４】
更にまた、前記パッケージ本体は、透明な樹脂材料で形成されている態様とすることが好ましい（請求項７）。
【発明の効果】
【００１５】
本発明に係る電池パッケージは、パッケージ本体において、前壁の当接部が電池を長手方向両側から挟み付けることにより電池の回転に対する抵抗を増やしているので、収容された電池の回転を抑制し電池の向きを一定に保持することができる。これにより、電池の周面に施されたデザインのうち商品名等の特にアピールしたい部分が目立つところに位置付けられた状態で電池を保持することができる。また、収容される電池が複数の場合は、各電池のデザインの向きを揃えた状態で保持することでき、デザインの統一性が出て電池パッケージの見映えが良くなる。このため、消費者の購買意欲を促進させるアピール度が向上する。この電池パッケージは、パッケージ本体の前壁の両端に当接部を設けただけのシンプルな構造であるので、最小限の材料で構成されていることから環境負荷が小さく、また、組み立てが簡単に行えることから製造コスト削減にも寄与する。
【図面の簡単な説明】
【００１６】
【図１】第１の実施形態に係る電池パッケージを前壁側上方からみた状態を示した斜視図である。
【図２】第１の実施形態に係る電池パッケージを後壁側下方からみた状態を示した斜視図である。
【図３】図１中の矢印III方向からみた状態を示した平面図である。
【図４】図１中の矢印IV方向からみた状態を示した側面図である。
【図５】図３中の円Ｖ内の構成を概略的に示した模式図である。
【図６】ブランクの展開図である。
【図７】ブランクを折り畳んだ状態を示した平面図である。
【図８】図７中の矢印VIII方向からみた状態を示した模式図である。
【図９】ブランクを角筒状態に折り込んだ態様を示した斜視図である。
【図１０】図９中の矢印Ｘ方向からみた状態を示した模式図である。
【図１１】中間体に電池を収容する状態を示した斜視図である。
【図１２】第１の実施形態に係る電池パッケージを陳列棚のフックに吊り下げた状態を示した正面図である。
【図１３】第２の実施形態に係る電池パッケージを示した斜視図である。
【発明を実施するための形態】
【００１７】
以下、本発明に係る電池パッケージ（以下、パッケージという）を、図面を参照して説明する。
【００１８】
（第１の実施形態）
図１及び図２に示したように、パッケージ２は、ＡＡサイズの電池４を２本収容可能なパッケージ本体６と、パッケージ本体６の背面上部から上方へ延出し店頭の陳列棚等のフックと係合する吊下げ部８とを備えている。ここで、本実施形態のパッケージ２は全体が紙材で形成されている。
【００１９】
パッケージ本体６は、略直方体形状をなしており、前壁１０と、前壁１０に対向配置された後壁１２と、前壁１０および後壁１２のそれぞれ対応する側縁を相互に連結する一対の側壁１４，１４と、前壁１０、後壁１２および側壁１４の下端縁に連結された底壁１６と、底壁１６と対向配置された上壁１８とを備えている。
【００２０】
前壁１０は、図１に示すように、パッケージ本体６の前面部２２を構成しており、両端に一対の折曲壁２８，２８が配設された矩形状の前面壁３０からなる。前面壁３０の中央には矩形状の窓２０が形成されており、この窓２０からは、パッケージ本体６内の電池４が視認可能となっている。そして、折曲壁２８，２８は、前面壁３０の両側縁から後壁１２側へ向かって斜めに延出している。詳しくは、これら折曲壁２８，２８は、図３に示すように、前面壁３０に対して所定角度で折り曲げられた状態で形成されており、電池４における正極端子３２が突出する一端３３及び負極端子３４としての他端３５のそれぞれの周縁の一部と当接する当接部となる。ここで、折曲壁２８は、その内面において電池４の周縁の一部と当接するが、この当接箇所と、後壁１２との間の寸法が、収容される電池４の直径よりも短く設定されている。また、一対の折曲壁２８，２８における前記当接箇所同士間の寸法は、電池４の両端間の寸法、即ち、胴体長さ寸法よりも短く設定されている。本実施形態においては、以上のような寸法関係を達成すべく、折曲壁２８の寸法及び前面壁３０に対する折曲角度が適切に設定してある。
【００２１】
側壁１４は、前壁１０の高さ寸法と同寸法の高さ寸法を有する矩形状をなしており、折曲壁２８の側縁と後壁１２の側縁との間に配設されている。詳しくは、側壁１４，１４は、図３から明らかなように、両折曲壁２８，２８の延長線よりも内側に折曲している。
【００２２】
後壁１２は、幅方向寸法が前壁１０の幅方向寸法よりも僅かに長尺であり、高さ寸法が前壁１０の高さ寸法の約２倍の矩形状をなしている。この後壁１２は、図２中二点鎖線で示した仮想線５４よりも下側半分でパッケージ本体６の背面部２４を構成するとともに、上側半分で吊下げ部８を構成する。ここで、図１から明らかなように、後壁１２の上部中央には前記フックと係合する吊下げ孔２６が設けられており、また、後壁１２の上部両端はラウンドコーナに形成されている。
【００２３】
底壁１６は、図２に示すように、上記した前面壁３０、両折曲壁２８、両側壁１４及び後壁１２のそれぞれの下端縁４０、４２、４２、４４、４４、４６により形成される下部開口と合致する形状をなしている。
【００２４】
一方、上壁１８は、底壁１６と同形状をなしており、図１から明らかなように、前面壁３０、両折曲壁２８及び両側壁１４のそれぞれの上端縁４８、５０、５０、５２、５２と、後壁１２における背面部２４と吊下げ部８との境界である仮想線５４とにより形成される上部開口と合致する形状をなしている。
【００２５】
パッケージ本体６内においては、電池４が、その長手方向をパッケージ本体６の幅方向に沿うようにして２本並列にして積み重ねられて収容されている（図４参照）。ここで、電池４の収容状態について以下に詳しく説明する。
【００２６】
パッケージ本体６内の電池４は、図３から明らかなように、電池４における一端３３側の周縁の一部（以下、角部３６という）が一方（図３中左側）の折曲壁２８と当接し、他端３５側の周縁の一部（以下、角部３８という）が他方（図３中右側）の折曲壁２８と当接している。ここで、本実施形態のパッケージ本体６においては、前壁１０及び後壁１２と電池４との寸法関係が、上記したような寸法関係にあるので、電池４と折曲壁２８の当接箇所においては、図５に示すように、折曲壁２８が電池４の角部３６により押されて僅かに弾性変形している。これにともない、電池４には、図３の矢印Ａ，Ｂ方向へ働く圧縮力が作用するとともに、矢印Ｃ方向、即ち、後壁１２側へ押し付ける方向へ働く押圧力が作用する。このため、電池４は、パッケージ本体６内において、長手方向に挟み付けられるとともに後壁１２へ押し付けられるので、パッケージ本体６内での電池４の動きに対する抵抗が増える。その結果、図４中の矢印Ｄで示すような、電池４がその中心軸５６を中心として回転してしまうことは抑制されるので、電池４をその向きを揃えて収容した場合、その状態が保持される。
【００２７】
以上のようなパッケージ２は、図６に示されるような１枚のブランク６０から形作ることができる。なお、図６においては、パッケージ２の内面に対応する側を示している。
【００２８】
ブランク６０は、図６から明らかなように、パッケージ本体６の前壁１０における前面壁３０となる前面壁パネル６２を有しており、この前面壁パネル６２の中央には、窓２０となる矩形の貫通孔６４が設けられている。また、前面壁パネル６２の上端には上壁１８を構成する上壁パネル６６が連なっており、上壁パネル６６の先端には後壁１２と重ね合わされる上壁フラップ６８が連なっている。一方、前面壁パネル６２の下端には、底壁１６を構成する底壁パネル７０が連なっており、底壁パネル７０の先端には後壁１２と重ね合わされる底壁フラップ７２が連なっている。
【００２９】
また、前面壁パネル６２の両側縁には、前壁１０における折曲壁２８，２８となる折曲壁パネル７４，７４がそれぞれ連なっており、更に、これら折曲壁パネル７４の先には、側壁１４，１４となる側壁パネル７６，７６がそれぞれ連なっている。そして、各側壁パネル７６の上端縁にはインナトップフラップ７８，７８が連なっており、これらインナトップフラップ７８，７８は、上壁パネル６６に重ね合わされることで上壁１８の補強をなす。一方、各側壁パネル７６の下端縁にはインナボトムフラップ８０，８０が連なっており、これらインナボトムフラップ８０，８０は、底壁パネル７０に重ね合わされることで底壁１６の補強をなす。
【００３０】
更に、側壁パネル７６のうちの一方側（図６中右側）の側壁パネル７６には、前面壁パネル６２とは反対側の位置に台形状のサイドフラップ８２が連なっている。また、他方側（図６中左側）の側壁パネル７６には、前面壁パネル６２とは反対側の位置に後壁１２となる後壁パネル８４が連なっている。この後壁パネル８４は、図６中二点鎖線で表した仮想線５４の下側が、パッケージ本体６の背面部２４となる背面領域８６であり、仮想線５４の上側が吊下げ部８となる吊下げ領域８８である。この吊下げ領域８８の上部中央には、フックと係合する吊下げ孔２６となる円形孔９０が形成されている。
【００３１】
本実施形態の場合、ブランク６０は紙材からなり、その秤量は１８０〜２７０ｇ／ｍ２  であり、その厚みは０．２〜０．５ｍｍである。なお、ブランク６０に用いられる紙材としては、パッケージ用の紙材であれば何れであってもよく、例えば、カード紙、マニラボール紙等が用いられる。
【００３２】
上述したブランク６０は、所定の紙材を図６に示すような形状に打ち抜き加工し、更に、図６中の破線で示す箇所に折り込みがし易くなる折り込み線を入れることにより作成される。得られたブランク６０は、折り込み線に沿ってそれぞれ折り込まれるとともに所定箇所を貼着することによりパッケージ本体６に成形され、図１に示すようなパッケージ２が得られる。
【００３３】
詳しくは、まず、サイドフラップ８２が内側に折り込まれるとともに、他方側（図６中左側）の側壁板パネル７６と折曲壁パネル７４との間の折り込み線９２が折り込まれることにより、図７に示すように、後壁パネル８４及び一方側の側壁板パネル７６と、前面壁パネル６２、折曲壁パネル７４，７４及び他方側の側壁板パネル７６とが重なり合い、ブランク６０は折り畳み状態となる。このとき、サイドフラップ８２は、図６に示す後壁パネル８４の内面における側壁板パネル７６とは反対側の側端部に位置付けられる貼着予定箇所９５に貼着される。なお、ブランク６０自体は、この折り畳み状態で輸送及び保管が行われる。
【００３４】
次に、折り畳み状態のブランク６０は、前面壁パネル６２と両折曲壁パネル７４，７４との間、後壁パネル８４と両側壁板パネル７６，７６との間、及び、側壁板パネル７６と折曲壁パネル７４との間の各折り込み線がそれぞれ折り込まれ、図７の折り畳み状態から図９に示すような角筒状態となる。
【００３５】
ここで、本実施形態においては、図６に示すように、後壁１２に相当する後壁パネル８４の幅方向の寸法をＢ、後壁パネル８４に連なる他方側の側壁板パネル７６（側壁１４に相当）の幅方向の寸法をＳ、他方側の側壁板パネル７６に連なる折曲壁パネル７４（折曲壁２８に相当）の幅方向の寸法をＫ、前面壁３０に相当する前面壁パネル６２の幅方向の寸法をＦ、前面壁パネル６２に連なる一方側の折曲壁パネル７４（折曲壁２８に相当）の幅方向の寸法をＫ’、一方側の側壁パネル７４に連なる側壁板パネル７６（側壁１４に相当）の幅方向の寸法をＳ’とした場合、折り畳み状態のブランク６０を図７の矢印VIII方向から見た状態を模式的に示した図８から明らかなように、これらパネルの幅方向の寸法が、Ｂ＋Ｓ＝Ｋ＋Ｆ＋Ｋ’＋Ｓ’（但し、Ｓ＝Ｓ’、Ｋ＝Ｋ’）の関係となるように設定している。
【００３６】
各パネルの幅寸法を上記した関係に設定することにより、折り込み線９２で折り畳まれた折り畳み状態のブランク６０は、展開されていたときの半分の大きさになるので、輸送時や保管時の所要スペースを少なくすることができる。そして、折り畳み状態のブランク６０に対して、後壁パネル８４を基準にして両側壁パネル７６，７６が立ち上がるように各折り込み線に折り目を入れることにより、後壁パネル８４と前面壁パネル６２とは、所定スペースをあけて対向配置され、後壁パネル８４及び前面壁パネル６２のそれぞれ対応する側縁の間には所定の角度をもって折曲壁パネル７４と側壁板パネル７６とが配置され、図１０に示すような断面形状の角筒状態のブランク６０を簡単に得られる。
【００３７】
この後、図９に示した角筒状態のブランク６０に対してインナボトムフラップ８０，８０が内側に折り込まれる。そして、底壁パネル７０及びその先端の底壁フラップ７２が折り込まれる。これにより、底壁パネル７０は、インナボトムフラップ８０，８０と重なり合うとともに下部開口に合致し、底壁１６を形成する。このとき、底壁フラップ７２は、インナボトムフラップ８０と後壁パネル８４との間の隙間に差し込まれ、後壁パネル７０の下部内面と重なり合う。この状態で、インナボトムフラップ８０，８０が底壁パネル７０に貼着されるとともに、底壁フラップ７２が後壁パネル８４に貼着され、下部開口が底壁１６により閉塞される。これにより、図１１に示すような、上部が開口した半完成状態であるパッケージ本体２の中間体９２が形成される。
【００３８】
この中間体９２には、上部の開口側より電池４が２本入れられる。ここで、電池４の周面には、所定のデザイン９４が施されており、特にアピールしたい商品名等の部分が窓２０から見えるように電池４を中間体９２内に収容していく。この際、各電池４のデザイン９４が同じ方向を向くように各電池４の向きを揃える。
【００３９】
電池４の収容後は、矢印Ｐに示すようにインナトップフラップ７８は内側へ折り込まれる。その後、上壁パネル６６の先端の上壁フラップ６８が折り込まれるとともに、上壁パネル６６も矢印Ｑに示すように内側へ折り込まれる。これにより、上壁パネル６６は、インナトップフラップ７８と重なり合うとともに、その先端の上壁フラップ６８は、インナトップフラップ７８と後壁パネル８４との間の隙間に差し込まれ、後壁パネル８４の内面と重なり合う。この状態で、インナトップフラップ７８，７８が上壁パネル６６に貼着されるとともに、上壁フラップ６８が後壁パネル８４に貼着されることで、上部開口は閉じられパッケージ本体６が形成され、図１に示すような電池２を収容したパッケージ２が得られる。そして、このパッケージ２は、工場から店舗に輸送された後、図１２に示すように、店頭において陳列棚９６に設けられたフック９８にその吊下げ孔２６が掛けられ陳列される。
【００４０】
パッケージ２は、折曲壁２８，２８の内面が電池４の正極端子側の角部３６及び負極端子側の角部３８に斜めに当接するので、電池４に対して、その長手方向へ挟み付ける方向へ働く圧縮力を作用させることができるとともに、電池４を後壁１２側へ押し付ける押圧力を作用させることができる。これにより、電池４の中心軸５６を中心とした回転に対して抵抗力を増加させることができ、パッケージ本体６内での電池４の回転を抑制することができる。このため、パッケージ２に輸送中の振動等が加わっても内部の電池４の向きはデザインが揃った最初の状態を保持でき、店頭に陳列した後でも窓２０からは、各電池４のデザインが揃った状態で視認される。
【００４１】
このようにパッケージ２は、各電池４につき施されたデザイン９４の向きを揃えて統一性を持たせた状態を保持でき、消費者へのアピール度向上に寄与する。
また、このパッケージ２は、上記した説明から明らかなように、別パーツを追加せず、前壁１０の両端を折曲させて折曲壁を設けるといった簡単な構造で電池４の回転を抑制しているので、必要な材料の量は少なくて済み、廃棄する際も廃棄物の量を少なくでき環境に対する負荷を抑えることができる。
【００４２】
しかも、パッケージ２を構成するブランク６０は、通常の断面形状が単純な矩形である直方体形状のパッケージ用のブランクと全体的なサイズは変わらず、折り込み線の位置を適切な位置にするだけで作成可能であるので、従来の製造設備をそのまま使用できる。そして、ブランク６０の組み立て作業も従来通り折り込み線に沿って折り込むだけで簡単に形成できるので、特別な組み立てスキルは必要ない。よって、製造コストが嵩むこともない。
【００４３】
（第２の実施形態）
図１３は、第２の実施形態のパッケージを１００示す。このパッケージ１００は、パッケージ本体６の全体が無色透明の合成樹脂材料、例えば、ポリエチレンテレフタレート（ＰＥＴ）で形成されており、窓を有していない点のみで第１の実施形態のパッケージ２とは相違する。よって、第２の実施形態について説明するにあたり、既に説明した構成部材及び部位と同一の機能を発揮するものについては同一の参照符号を付し、その説明を省略する。
【００４４】
このように、パッケージ本体６の全体が透明であると、収容されている電池４が外部からよく見える。このため、各電池４のデザイン９４の向きが揃っているとより統一性が際立ち、美観が強調されるので、消費者へのアピール度をより増やすことができる。
【００４５】
なお、本発明は、上記した実施形態に限定されるものではなく、種々の変形が可能である。例えば、第１及び第２の実施形態のパッケージでは、電池を２本収容する態様としたが、それ以上の本数を収容可能なパッケージとしてもよく、また、１本だけ収容するパッケージとしてもよい。
【符号の説明】
【００４６】
２                  パッケージ
４                  電池
６                  パッケージ本体
８                  吊下げ部
１０                前壁
１２                後壁
１４                側壁
１６                底壁
１８                上壁
２６                吊下げ孔
２８                折曲壁
３０                前面壁
９４                デザイン
１００              パッケージ
【図１】
2012206769.tif 000003
【図２】
2012206769.tif 000004
【図３】
2012206769.tif 000005
【図４】
2012206769.tif 000006
【図５】
2012206769.tif 000007
【図６】
2012206769.tif 000008
【図７】
2012206769.tif 000009
【図８】
2012206769.tif 000010
【図９】
2012206769.tif 000011
【図１０】
2012206769.tif 000012
【図１１】
2012206769.tif 000013
【図１２】
2012206769.tif 000014
【図１３】
2012206769.tif 000015